(57)【特許請求の範囲】
【請求項１】
足の後足部に対応する領域である後足部対応領域（３００Ｄ）が前足部に対応する前足部対応領域（３００Ｂ）に対して高くされた中板（３２０）の裏側である接地面側に、補強板（３１０）が圧着成型された中底であって、
前記補強板（３１０）は、 
先辺（３１０ａ）が裏側から見て略「へ」の字状であり、前記先辺（３１０ａ）の頂点（ＮＰａ）は、前記中板（３２０）上の、足の第３中足骨（５３）の骨頭の領域と足の第４中足骨（５４）の骨頭の領域との間付近となる所定位置にあり、
さらに、前記先辺（３１０ａ）は、
前記頂点（ＮＰａ）を起点にして、足の内側となる足内側方向辺（３１０ａａ）と、足の外側となる足外側方向辺（３１０ａｂ）とよりなり、
前記所定位置の前記頂点（ＮＰａ）は、前記中板（３２０）の、
足の母趾球（８０）に対応することになる母趾球対応領域（８０Ａ）の中央付近と、足の小趾球（８２）に対応することになる小趾球対応領域（８２Ａ）の中央付近とを通る横直線ライン（Ｌａｂ）上にあり、
前記足内側方向辺（３１０ａａ）は、
前記所定位置の前記頂点（ＮＰａ）から前記横直線ライン（Ｌａｂ）に対して、挟角が７度〜１２度で、足の第１中足骨（５１）の骨頭の直後となる領域を通って内側の縁に至る直線状にされており、
前記足外側方向辺（３１０ａｂ）は、
前記先辺（３１０ａ）の頂点（ＮＰａ）から第４中足骨（５４）の骨頭に対応する領域、第５中足骨（５５）の骨頭に対応する領域を通って外側の縁に至っている
ことを特徴とする中底。
【請求項２】
前記足外側方向辺（３１０ａｂ）は、
前記先辺の頂点（ＮＰａ）から前記第４中足骨（５４）の骨頭の領域、第５中足骨（５５）の骨頭の領域を通る曲線形状であることを特徴とする請求項１記載の中底。
【請求項３】
前記横直線ライン（Ｌａｂ）は、前記中板（３２０）の踏込部対応領域（ＨＭＴ）の、
足の「けい」側中足点（Ｋａ）に対応することになる「けい」側中足点対応点（ＫＡ）と、足の「ひ」側中足点（Ｋｂ）に対応することになる「ひ」側中足点対応点（ＫＢ）とを通っており、
前記先辺（３１０ａ）の前記頂点（ＮＰａ）が位置する前記所定位置は、この「けい」側中足点対応点（ＫＡ）と「ひ」側中足点対応点（ＫＢ）とを結ぶ直線の前記「ひ」側中足点対応点（ＫＢ）から３３％〜３７％であることを特徴とする請求項１記載の中底。
【発明の詳細な説明】
【技術分野】
【０００１】
この発明は、補強板を備えた靴用の中底に関する。
【背景技術】
【０００２】
一般にハイヒール、パンプス等の女性用靴の中底は、軽量でかつ反発力を得るために、ある程度の硬度がある中底本体板の裏面側（以下接地面側という）に、金属性のシャンク及び中底本体板に対して硬度がさらに高い補強板等を圧着成型して構成するのが一般的である。
【０００３】
このような中底について特許文献１の靴用中底が開示されている。
【０００４】
特許文献１の靴用中底は、足の輪郭形状に対応するセルローズファイバーボード２ｂを含む積層板２（中底本体板に相当）の上（着用者の足側）に、先端が「へ」の字形の積層板１（以下中底本体板上積層板という）を圧着している（特許文献１の図１及び段落００１２参照）。
【０００５】
前述の積層板１は、先端の形状が第２中足骨の骨頭後端と第３中足骨の骨頭後端との間を起点にして折れる「へ」の字形である（特許文献１の図２及び段落００１２参照）。
【０００６】
そして、中底本体板に相当する積層板２の接地面側にバッカーボード（補強板に相当）を圧着している。
【０００７】
この靴用中底に用いている中底本体板上積層板によって、足の中足骨頭くびれ部（足の中足骨頭の後側）に対して床反力を効果的に作用させて歩行前進の力学的ロスを少なくすることが開示されている（特許文献１の段落００１２参照）。
【０００８】
一方、特許文献１の靴用中底の他に以下に示す中底（従来の中底ともいう）がある。図１０は左足用の従来の中底を接地面側から見た場合の平面図である。
【０００９】
図１０は足の骨格を示し、かつ符号を付加して説明する。
【００１０】
図１０においては補強板２１０（斜線で示す）の接地面側を正面としており、中底本体板２２０が補強板２１０に対して着用者の足側に存在していることになる。また、図１０においては左足を接地面側から見た場合の左足の輪郭を示している。
【００１１】
図１０に示すように、補強板２１０は、例えば先部（以下補強板先辺２１０ａという）が足の中足趾節間関節（以下ＭＴＰラインという）の付近に略対応させられ、このＭＰＴライン付近から足の輪郭形状に略対応させられて踵後端に至っている。
【００１２】
なお、中底２００において足の内側となる辺を足内側辺と称し、この足内側辺に対する方向を足の内側方向と称する。また、足の外側となる辺を足外側辺と称し、この足の外側辺に対する方向を外側方向と称する。
【００１３】
また、補強板先辺２１０ａにおける第３中足骨の骨頭付近から足内側方向に向かう辺を先辺足内側方向辺２１０ａａと称する。この先辺足内側方向辺２１０ａａは、母趾側に向いている。
【００１４】
一方、ヒールがない場合は、足の接地面における荷重は踵側から小趾球８２（小ボールともいう）、母趾球８０（大ボールともいう）の順に移動して母趾側に抜けていく。この荷重の移動を示す軌跡を荷重軌跡Ｌｋと称し、太い点線で示している。また、高いヒールの場合の荷重の移動を示す軌跡を荷重中心軌跡ＣＯＰと称する。
【００１５】
さらに、荷重軌跡Ｌｋの母趾球８０から母趾側に抜けていく部分を母趾球側荷重軌跡Ｌｋａと称する。
【００１６】
次に、中底２００を内蔵したヒールが高い女性用靴を履いて歩行した場合の足の運びについて図１１を用いて説明する。
【００１７】
但し、図１１においては歩角θｐを強調している。また、図１１においては中底２００に足を置いて着用者の足側から見た場合の骨格を示して説明する。つまり、正面が足の骨格であり、接地面側に中底本体板２２０があり、この中底本体板２２０の接地面側に補強板２１０（斜線）がある。また、歩行ラインＲを示して説明する。
【００１８】
図１１に示すように、歩行動作は、一般に初期接地ＩＣイニシャルコンタクト初期接地（踵接地）、ＭＳｔミッドスタンス立脚中期、ＴＳｔターミナルスタンス立脚終期、ＰＳｗプレスウィング前遊脚期の終わり（蹴り出し）の順の足運動を繰り返しながら進んでいく。
【００１９】
このとき、着地Ｈｃは、中底先端２００ａを歩行ラインＲに対して開いた状態（歩角θｐと称している）で、かつ略一定の歩幅ＳＬとなる。つまり、膝進行方向ＨＧと足の運びは歩角θｐだけずれている。但し、図１１においては、膝進行方向ＨＧは着地Ｈｃ時の踵中心ＫＰａと次ぎの着地Ｈｃ時の踵中心ＫＰａとを結ぶ直線で示している。
【００２０】
次に、足運び動作時における中底先端２００ａの軌跡（以下中底先端軌跡Ｇａという）について図１１を用いて説明する。
【００２１】
図１１に示すように、歩行時には歩角θｐで着地Ｈｃする。このため、補強板２１０の補強板先辺２１０ａにおける先辺足内側方向辺２１０ａａ（図９参照）は、母趾の方向を向くことになる。
【００２２】
つまり、先辺足内側方向辺２１０ａａは、歩行ラインＲに対して外側の方向（以下外側方向と称する）を向くことになるので、荷重は外側方向（母趾球側荷重軌跡Ｌｋａ）に抜けていく。
【００２３】
そして、立脚Ｈｂ（母趾球８０側から持ちあげる）、蹴出しＨａの順で足を運んで行く。このとき、補強板２１０における先辺足内側方向辺２１０ａａは中底本体板２２０を介して母趾球８０の半分を覆っているので、この半分の領域の反発力も加わることになる。
【００２４】
このため、図１１に示すように、中底先端２００ａは、一旦、膝進行方向ＨＧ（歩行ラインＲ）に対して外側方向に向かって運ばれていく。
【００２５】
そして、中底先端２００ａを歩行ラインＲ（膝進行方向ＨＧ）側に向けながら（以下内側方向という）運んでいく。
【００２６】
そして、着地Ｈｃ時にはヒール側から着地させて、一定の歩角θｐとするために中底先端２００ａを再び外側方向に向けながら歩角θｐで着地Ｈｃさせる。
【００２７】
すなわち、中底先端２００ａの軌跡である中底先端軌跡Ｇａは、図１１に示すように、一旦、外側方向に向かった後で内側方向に向かって再び外側方向に向かう蛇行軌跡となっている。
【先行技術文献】
【特許文献】
【００２８】
【特許文献１】特開平９−２０６１０３号公報
【発明の概要】
【発明が解決しようとする課題】
【００２９】
しかしながら、着地Ｈｃの瞬間は、膝進行方向ＨＧ（歩行ラインＲ）と足の向きは歩角θｐだけずれている。
【００３０】
また、着地Ｈｃの瞬間は、先辺足内側方向辺２１０ａａは中底本体板２２０を介して母趾球８０の半分を覆っているので、この半分の領域の反発力も加わることになる。
【００３１】
このため、立脚Ｈｂ、蹴出しＨａにおいては、荷重は膝進行方向ＨＧ（歩行ラインＲ）に対して外側方向になる。
【００３２】
従って、運びＨＵｂ時には、膝、足首を膝進行方向ＨＧ（歩行ラインＲ）に対して向く（内側に向く）ように捩じるようにして足を運ばないといけないので、膝、足首をはじめ体に負担がかかる。
【００３３】
また、中底２００の中底先端軌跡Ｇａは、複雑な蛇行軌跡となっているので歩行がスマートではない。
【００３４】
さらに、補強板先辺２１０ａの先辺足内側方向辺２１０ａａは、中底本体板２２０を介して母趾球８０の中央付近を覆っている。このため、足の母趾球８０の屈曲性が悪い。
【００３５】
一方、特許文献１の靴用中底は、中底本体板に相当する積層板の上（着用者の足側）に、先端の形状が第２中足骨の骨頭後端と第３中足骨の骨頭後端との間を起点にして折れる「へ」字状の中底本体板上積層板を圧着して、足の接地面の中足骨頭くびれ部に対して床反力を効果的に作用させて歩行前進の力学的ロスを少なくするものである。
【００３６】
つまり、中底本体板に相当する積層板の接地面側の補強板の先端形状を改善するものではない。すなわち、特許文献１の中底本体板に相当する積層板の接地面側の補強板の先部は、従来の中底２００の補強板先辺２１０ａと同様である。
【００３７】
このため、従来の中底２００を内蔵した女性用靴での歩行は、膝、足首をはじめ体に負担がかかる。
【００３８】
本発明は以上の課題を鑑みてなされたもので、膝、足首をはじめ体に負担をかけないでスマートに歩行できる中底を得ることを目的とする。
【課題を解決するための手段】
【００３９】
本発明は、足の後足部に対応する領域である後足部対応領域（３００Ｄ）が前足部に対応する前足部対応領域（３００Ｂ）に対して高くされた中板（３２０）の裏側である接地面側に、補強板（３１０）が圧着成型された中底であって、
前記補強板（３１０）は、 
先辺（３１０ａ）が裏側から見て略「へ」の字状であり、前記先辺（３１０ａ）の頂点（ＮＰａ）は、前記中板（３２０）上の、足の第３中足骨（５３）の骨頭の領域と足の第４中足骨（５４）の骨頭の領域との間付近となる所定位置にあり、
さらに、前記先辺（３１０ａ）は、
前記頂点（ＮＰａ）を起点にして、足の内側となる足内側方向辺（３１０ａａ）と、足の外側となる足外側方向辺（３１０ａｂ）とよりなり、
前記所定位置の前記頂点（ＮＰａ）は、前記中板（３２０）の、
足の母趾球（８０）に対応することになる母趾球対応領域（８０Ａ）の中央付近と、足の小趾球（８２）に対応することになる小趾球対応領域（８２Ａ）の中央付近とを通る横直線ライン（Ｌａｂ）上にあり、
前記足内側方向辺（３１０ａａ）は、
前記所定位置の前記頂点（ＮＰａ）から前記横直線ライン（Ｌａｂ）に対して、挟角が７度〜１２度で、足の第１中足骨（５１）の骨頭の直後となる領域を通って内側の縁に至る直線状にされており、
前記足外側方向辺（３１０ａｂ）は、
前記先辺（３１０ａ）の頂点（ＮＰａ）から第４中足骨（５４）の骨頭に対応する領域、第５中足骨（５５）の骨頭に対応する領域を通って外側の縁に至っていることを要旨とする。
【発明の効果】
【００４０】
以上のように本発明によれば、補強板（３１０）の補強板先辺（３１０ａ）の足内側方向辺（３１０ａａ）を母趾球対応領域（８０Ａ）の後端を通る形状にしている。
【００４１】
このため、着地した瞬間の荷重方向は、歩行ライン（Ｒ）側に向く（内側方向）ことになるので、膝、足首を捩じることなくそのまま進むことができる。従って、膝、足首をはじめ体に負担をかけないと共に、スマートな歩行となる。
【００４２】
また、母趾球（８０）が補強板（３１０）にあたらないので、母趾球（８０）の屈曲性が良くなる。
【図面の簡単な説明】
【００４３】
【図１】実施の形態の左足用の中底３００を接地面側から見た場合の平面図である。
【図２】母趾から踵までの区間を斜め上方向より見た場合の斜視図である。
【図３】左足を接地面側から見た場合の左足の平面図である。
【図４】実施の形態の中底３００を内蔵した女性用靴の側面図である。
【図５】図１の中底３００の先部付近の拡大図である。
【図６】角度θａを約１０度とした場合の歩行時の効果の説明図である。
【図７】新母趾球荷重軌跡ＮＬＫａと膝進行方向ＨＧと歩行ラインＲ等の関係の説明図である。
【図８】実施の形態の中底３００の具体的な部材構成の説明図である。
【図９】他の実施の形態の左足用の中底３００を接地面側から見た場合の平面図である。
【図１０】左足用の従来の中底を接地面側から見た場合の平面図である。
【図１１】従来の中底２００を用いた靴を履いて歩行した場合の足運び動作の説明図である。
【発明を実施するための形態】
【００４４】
本発明の技術的思想は、特許請求の範囲に記載された技術的範囲内において、種々の変更を加えることができる。図面は模式的なものであり、構成等は現実のものとは異なることに留意すべきである。
【００４５】
実施の形態の中底は、補強板の足内側に向かう辺を母趾球８０の後端を通る形状にすることで膝、足首をはじめ体への負担を軽減し、かつスマートに歩かせることができる。
【００４６】
この補強板を補強板３１０と称し、この補強板３１０を内蔵した中底を、中底３００として説明する。また、中底３００を内蔵した靴は女性用靴として説明する。
【００４７】
さらに、補強板３１０の先辺は、様々な形状があるが実施の形態においては「へ」の字状の形状を一例として説明する。
【００４８】
また、中底本体板２２０は中板３２０と称し、中底先端２００ａは新中底先端３００ａと称して説明する。
【００４９】
図１は左足用の中底３００を接地面側から見た場合の平面図である。図１は足の骨格を示し、かつ符号を付加して説明する。
【００５０】
図１においては補強板３１０（斜線で示している）の接地面側を正面としており、中板３２０が補強板３１０に対して着用者の足側に存在していることになる。また、図１においては輪郭を示していることになる。但し足の接地面は実線で示している。
【００５１】
すなわち、図１に示すように、補強板３１０（斜線で示している）の先辺（以下補強板先辺３１０ａという）の形状は、左足用の中底３００を接地面側から見た場合は逆「へ」の字状になっている。
【００５２】
つまり、補強板先辺３１０ａは中底先部側に吐出した頂点ＮＰａが足外側辺よりに位置している。
【００５３】
但し、左足を左足用の中底３００に置いて着用者の足側から見た場合は、母趾が右側になるので補強板先辺３１０ａの形状は「へ」の字状である。
【００５４】
また、右足を右足用の中底３００に置いて足を着用者の足側から見た場合は、母趾が左側になるので補強板先辺３１０ａの先端は逆「へ」の字状になる。
【００５５】
図１の中底３００を説明する前に、足の骨格について図２及び図３を用いて説明する。但し、図２は右足を例にして説明する。
【００５６】
図２は母趾から踵までの区間を斜め上方向より見た場合の斜視図である。図３は左足を接地面側から見た場合の左足の平面図である。
【００５７】
但し、足の骨格は解剖学的な名称を用いないで、義肢装具等の製造業界で使用している名称で説明する。
【００５８】
また、前述の母趾から踵までの区間を足内側と称し、小趾から踵までの区間を足外側と称する。
【００５９】
図２及び図３に示すように、足は前足部２０と、中足部２２と、後足部２３とから構成されている。
【００６０】
前足部２０は、図２及び図３に示すように、第１末節骨２７と第２末節骨２８と第３末節骨２９と第４末節骨３０と第５末節骨３１及び、第２中節骨３５と第３中節骨３６と第４中節骨３７と第５中節骨３８と並びに、第１基節骨４１と第２基節骨４２と第３基節骨４３と第４基節骨４４と第５基節骨４５とからなる付近をいう。
【００６１】
中足部２２は、第１中足骨５１と第２中足骨５２と第３中足骨５３と第４中足骨５４と第５中足骨５５と第１楔状骨６１と第２楔状骨６２と第３楔状骨６３と立方骨７１と舟状骨７３とからなる付近をいう。また、後足部２３は、距骨７５と踵骨７７とからなる付近をいう。
【００６２】
また、図２及び図３に示すようにＭＰＴラインの足内側の点を「けい」側中足点Ｋａと称し、足外側の点を「ひ」側中足点Ｋｂと称する。
【００６３】
また、図３に示すように、第１中足骨５１の骨頭と第１基節骨４１の骨底とが接続されている部分を母趾球８０（大ボール）と称し、第５中足骨５５の骨頭と第５基節骨４５の骨底とが接続されている部分を小趾球８２（小ボール）と称している。  
【００６４】
さらに、踵骨７７の中央付近から後足部２３の後端までの範囲を踵部２４と称する。また、踵部２４の中心付近を踵中心ＫＰａと称する。
【００６５】
また、第１中足骨５１の骨頭と第１基節骨４１の骨底との接続付近と、第２中足骨５２の骨頭と第２基節骨４２の骨底との接続付近と、第３中足骨５３の骨頭と第３基節骨４３の骨底との接続付近と、第４中足骨５４の骨頭と第４基節骨４４の骨底との接続付近と、第５中足骨５５の骨頭と第５基節骨４５の骨底との接続付近とを通る中足趾節間関節のラインをＭＰＴラインと称している。
【００６６】
また、図３に示すように、このＭＰＴラインが通る各々の基節骨の骨底と各々の中足骨の骨頭とが接続する領域を踏付部ＨＭと称する。
【００６７】
そして、素足で床を歩行した場合は、図３に示すように、足の接地面における荷重は踵側から小趾球８２（小ボール）、母趾球８０（大ボール）の順に移動して母趾側に抜けていく。この荷重の移動を示す方向の軌跡を荷重軌跡Ｌｋ（太い点線）と称している。また、母趾球８０から母趾側に抜けていく部分の軌跡を母趾球側荷重軌跡Ｌｋａと称している。
【００６８】
（図１における各部の名称）
次に、左足用の中底３００（以下単に中底３００という）の名称について図１を用いて説明する。中板３２０において足の内側となる辺を足内側辺と称し、この足内側辺に対する方向を足内側方向と称する。また、足の外側となる辺を足外側辺と称し、この足外側辺に対する方向を足外側方向と称する。
【００６９】
中底３００は、足の前足部２０に対応する領域を前足部対応領域３００Ｂと称し、中足部２２に対応する領域を中足部対応領域３００Ｃと称し、後足部２３に対応する領域を後足部対応領域３００Ｄと称する。
【００７０】
また、前足部対応領域３００Ｂに対して前側となる領域を中底先部領域３００Ａと称する。さらに、足の踵部２４に対応する領域を踵対応領域３００Ｅと称する。
【００７１】
母趾球８０（大ボール）に対応する領域を母趾球対応領域８０Ａと称し、小趾球８２に対応する領域を小趾球対応領域８２Ａと称する。
【００７２】
一方、補強板３１０の先辺を補強板先辺３１０ａと称する。
【００７３】
すなわち、補強板３１０は、その補強板先辺３１０ａが、中底３００を構成する中板３２０の接地面側の母趾球対応領域８０Ａと小趾球対応領域８２Ａとの間に位置するようにされている。
【００７４】
さらに、踵対応領域３００Ｅの踵端の円弧の部分を踵対応領域後端円弧３００Ｄｄと称し、踵対応領域後端円弧３００Ｄｄにおける中心を踵後端３００Ｄａａと称する。
【００７５】
また、踵対応領域３００Ｅにおいて足の踵部２４の中心となる位置をヒール中心Ｈｐと称する。
【００７６】
そして、このヒール中心Ｈｐと、後足部対応領域３００Ｄの中心と、踵後端３００Ｄａａとを通る直線をヒール中心線ＬＨと称する。
【００７７】
また、新中底先端３００ａと踵後端３００Ｄａａとを通る直線を中底中心線ＮＬｉと称する。
【００７８】
また、踵対応領域３００Ｅにおける足内側辺の最も端を後足部対応領域足内側最端３００Ｅａと称し、踵対応領域３００Ｅにおける足外側辺の最も端を後足部対応領域足外側最端３００Ｅｂと称する。
【００７９】
さらに、中板３２０の踏付部対応領域ＨＭＴにおける「けい」側中足点Ｋａに対応する中板３２０の足内側辺における点を「けい」側中足点対応点ＫＡと称し、「ひ」側中足点Ｋｂに対応する中板３２０の足外側辺の点を「ひ」側中足点対応点ＫＢと称する。
【００８０】
そして、後足部対応領域足内側最端３００Ｅａと「けい」側中足点対応点ＫＡとを通る直線を中底母趾球足内側端ラインＬｕと称し、後足部対応領域足外側最端３００Ｅｂと「ひ」側中足点対応点ＫＢとを通る直線を中底小趾球外側端ラインＬｇと称する。
【００８１】
また、「ひ」側中足点対応点ＫＢと「けい」側中足点対応点ＫＡとを結ぶ直線を踏付部横幅ラインＬａｂと称する。
【００８２】
また、補強板３１０における補強板先辺３１０ａの頂点ＮＰａを基準にして足内側方向の辺を足内側方向辺３１０ａａと称し、足外側辺方向の辺を足外側方向辺３１０ａｂと称する。
【００８３】
前述の足内側方向辺３１０ａａが足内側辺に至る足内側辺の端を補強板先辺足内側端３１０ａｕと称し、この補強板先辺足内側端３１０ａｕと頂点ＮＰａとを通る直線を補強板先辺足内側方向辺ラインＬａｕと称する。
【００８４】
また、足外側方向辺３１０ａｂが足外側辺に至る足外側辺の端を補強板先辺外側端３１０ａｇと称する。
【００８５】
また、頂点ＮＰａに対応する中板３２０の領域を頂点対応領域ＮＰＡａと称する。
【００８６】
（頂点ＮＰａの説明）
前述の補強板先辺３１０ａにおける頂点ＮＰａは、図１に示すように、中板３２０を介して第３中足骨５３の骨頭と第４中足骨５４の骨頭との間に位置するようにされている。
【００８７】
中板３２０では、接地面側の踏付部対応領域ＨＭＴにおける頂点対応領域ＮＰＡａは、第３中足骨５３の骨頭に対応する領域と第４中足骨５４の骨頭に対応する領域との間になる。
【００８８】
そして、補強板先辺３１０ａの頂点ＮＰａは、図１に示すように、ヒール中心線ＬＨの近傍に位置している。
【００８９】
また、足内側方向辺３１０ａａは、足の骨格に対して中板３２０を介して第３中足骨５３の骨頭と第４中足骨５４の骨頭との間から第３中足骨５３の骨頭、第２中足骨５２の骨頭の後端、母趾球８０の後端を通る直線状の辺となっている。
【００９０】
中板３２０の接地面側では、足内側方向辺３１０ａａは、中板３２０の接地面側における頂点対応領域ＮＰＡａから第３中足骨５３の骨頭に対応する領域、第２中足骨５２の骨頭の後端に対応する領域、母趾球対応領域８０Ａの後端を通る直線状の辺となっている。
【００９１】
また、足外側方向辺３１０ａｂは、中板３２０を介して第３中足骨５３の骨頭と第４中足骨５４の骨頭との間から足の第４中足骨５４の骨頭、第５中足骨５５の骨頭の中央付近を通る緩やかなカーブの辺となっている。
【００９２】
中板３２０の接地面側では、足外側方向辺３１０ａｂは、中板３２０の接地面側における頂点対応領域ＮＰＡａから足の第４中足骨５４の骨頭に対応する領域、第５中足骨５５の骨頭の中央付近を通る緩やかなカーブの辺となっている。
【００９３】
（中底３００を内蔵した女性用靴の説明）
図４は中底３００を内蔵した女性用靴の側面図である。
【００９４】
図４に示すように、中底３００は、補強板３１０の着用者の足側に中板３２０等を重ねて構成している。また、図４にはアッパー４００、本底５００、ヒール６００を示して説明する。
【００９５】
そして、図４に示すように、中板３２０はＭＰＴラインの後方付近から次第に立ち上がって後端に至る湾曲形状にされている。また、補強板３１０もＭＰＴラインの後方付近から次第に立ち上がって後端に至る湾曲形状にされている。
【００９６】
つまり、中板３２０は、後足部２３に対応する領域である後足部対応領域３００Ｄが前足部２０に対応する領域である前足部対応領域３００Ｂに対して高くされている。
【００９７】
前述の後足部対応領域３００Ｄの踵対応領域３００Ｅの高さは、ヒール６００の高さに相当している。つまり、踏付部対応領域ＨＭＴからの踵対応領域３００Ｅの高さがヒール６００の高さに相当している。
【００９８】
中底３００は、図４に示すように、補強板３１０の着用者の足側に中底本体板２２０等を重ねて形成している。
【００９９】
図４に示すように、中底３００を内蔵した女性用靴のアッパー４００は、中底先部領域３００Ａと、前足部２０と、各々の中足骨の骨頭付近を覆って、中足部２２及び後足部２３の周囲を覆う形状が好ましい。
【０１００】
（頂点ＮＰａの位置と足内側方向辺３１０ａａの説明）
図５は図１の中底３００の先部付近の拡大図である。
【０１０１】
次に、頂点ＮＰａの位置及び足内側方向辺３１０ａａについて図５を用いて詳細に説明する。
【０１０２】
図５に示すように、補強板先辺３１０ａの頂点ＮＰａは、中板３２０の踏付部対応領域ＨＭＴにおける「けい」側中足点対応点ＫＡと、「ひ」側中足点対応点ＫＢと結ぶ間の直線の長さである踏付部横幅長（Ｗ）に対して、「けい」側中足点対応点（ＫＡ）から６３％〜６７％（好ましくは６５％）の範囲に位置されている。また、「ひ」側中足点対応点ＫＢからは踏付部横幅長（Ｗ）に対して、３３％〜３７％（好ましくは３５％）の範囲の位置である。
【０１０３】
この割合にすると補強板先辺３１０ａにおける頂点ＮＰａが中板３２０を介して第３中足骨５３の骨頭と第４中足骨５４の骨頭の間に位置する。
【０１０４】
また、「けい」側中足点対応点ＫＡと、「ひ」側中足点対応点ＫＢとを通る踏付部横幅ライン（Ｌａｂ）とヒール中心線ＬＨとの交点からは、足内側方向に数ミリ（２３．０ｃｍで測定）の位置である。
【０１０５】
また、足内側方向辺３１０ａａは、頂点ＮＰａから後足部対応領域３００Ｄに向かって次第に傾斜している。この位置を傾斜開始位置とも称する。つまり、頂点ＮＰａというのは傾斜開始位置でもある。
【０１０６】
一方、補強板先辺３１０ａの足内側方向辺３１０ａａは、図５に示すように、踏付部横幅ラインＬａｂに対して約１０度（７度〜１２度：好ましくは１０度）の角度θａにされている。
【０１０７】
（角度θａを約１０度とした効果）
角度θａを約１０度（７度〜１２度：好ましくは１０度）とすることによって母趾球８０が着地した瞬間の新母趾球荷重軌跡ＮＬＫａと、補強板３１０の補強板先辺３１０ａと、膝進行方向ＨＧと、歩行ラインＲ等の関係は図６に示すようになる。
【０１０８】
図６において、図１と同一なものは説明を省略する。図６においても歩角θｐを強調している。また、図６においては中底３００に足を載置して着用者の足側から見た場合の骨格を示して説明する。
【０１０９】
この図６においては、足の骨格が着用者の足側であり、この足の骨格の接地面側に中板３２０があり、この中板３２０の接地面側に補強板３１０（斜線）がある。
【０１１０】
図６に示すように、補強板３１０は、補強板先辺３１０ａの頂点ＮＰａを、中板３２０を介して足の第３中足骨５３の骨頭と第４中足骨５４の骨頭との間にしている。そして、足内側方向辺３１０ａａを、母趾球８０の後端を通る直線状にしている。
【０１１１】
このため、図６に示すように母趾球８０の着地時には、補強板３１０の足内側方向辺３１０ａａが従来の中底の辺の歩行ラインＲに対する向き角度よりも、より歩行ラインＲ側を向く（内側に向）ことになる。
【０１１２】
また、母趾球８０を抜ける荷重の方向も歩行ラインＲ側にやや向かった新母趾球荷重軌跡ＮＬＫａとして抜けていく。
【０１１３】
さらに、図７を用いて説明する。図７においては、図１と同一なものは説明を省略する。図７においても歩角θｐを強調している。
【０１１４】
また、図７においては中底３００に足を載置して着用者の足側から見た場合の骨格を示して説明する。
【０１１５】
つまり、足の骨格が着用者の足側であり、この足の骨格の接地面側に中板３２０があり、この中板３２０の接地面側に補強板３１０（斜線）がある。
【０１１６】
図７に示す足運び動作時における中底３００の新中底先端３００ａの軌跡（以下新中底先端軌跡ＮＧａという）について説明する。
【０１１７】
補強板先辺３１０ａの足内側方向辺３１０ａａは、中板３２０を介して頂点ＮＰａから母趾球８０の後端を斜めに通る直線（踏付部横幅ラインＬａｂに対して約１０度）となっているので、補強板（３１０）は母趾球８０を、中板３２０を介して覆わないことになる。つまり、中板３２０の接地面側の母趾球対応領域８０Ａを覆わないことになる。
【０１１８】
このため、母趾球８０側が着地Ｈｃした瞬間は、補強板３１０から反発力が弱まるので、立脚Ｈｂ時には、新母趾球荷重軌跡ＮＬＫａに添って（歩行ラインＲを向く内側）、そのまま蹴出しＨａができることになる。
【０１１９】
すなわち、蹴出しＨａ時には、歩角θｐの状態を維持しながら新母趾球荷重軌跡ＮＬＫａに添って足を踏み出すことができる。
【０１２０】
このときの、実際の蹴出方向は、小趾球８２から母趾球８０側を着地させたときの荷重方向と、前進に伴う勢いの方向とを合成した方向となるので、歩行ラインＲ及び膝進行方向ＨＧに略平行となる。
【０１２１】
従って、図７に示すように足運び動作時における新中底先端軌跡ＮＧｐａは、歩行ラインＲ、膝進行方向ＨＧに平行となる。
【０１２２】
つまり、膝、足首を捩じるようしなくとも、着地Ｈｃの時点で膝進行方向ＨＧに略平行になる。このため、膝、足首等をはじめ体に負担をかけることなく蹴り出すことができるので姿勢を崩すことなく歩行ができる。また、従来のように蛇行軌跡にならないので、歩行がスマートである。
【０１２３】
また、足内側方向辺３１０ａａは、中板３２０を介して第３中足骨５３の骨頭と第４中足骨５４の骨頭との間から第３中足骨５３の骨頭、第２中足骨５２の骨頭の後端、母趾球８０の後端を通る直線状の辺となっている。
【０１２４】
このため、足内側方向辺３１０ａａが母趾球８０の前側を通らないことになるので、蹴出し時においては足の母趾球８０の屈曲性が良くなる。
【０１２５】
上記の中底３００は具体的には図８に示す部材から構成する。
【０１２６】
図８（ａ）に示すように、中板３２０の接地面側にはガーゼ３２５を張り付け、金属製のシャンク３４０を介在させて、図８（ｂ）に示す補強板３１０を重ねる。
【０１２７】
そして、図８（ｃ）に示す緩衝及び滑り止めようにスポンジ３６０を貼り付け、さらに踏「まず」補強板３５０を貼り付けて、金型（図示せず）で圧着成型して図８（ｄ）に示す中底３００を成型する。
【０１２８】
なお、上記の実施の形態の補強板先辺３１０ａは緩やかにカーブを描いた形状であってもよい。
【０１２９】
また、女性用靴のヒールの高さは７ｃｍ以下（２〜７ｃｍ：６ｃｍが好ましい）が好ましい。さらに、実施の形態では女性用靴として説明したが男性用であっても構わない。
【０１３０】
また、足内側方向辺３１０ａａは、直線状ではなく、単に母趾球対応領域（８０Ａ）の後端を通る湾曲形状であってもよい。
【０１３１】
また、足外側方向辺３１０ａｂは、足外側となる端の部分が傾斜開始位置（頂点ＮＰａ）よりも中底先部領域３００Ａ側に出ていてもよい。
【０１３２】
また、補強板先辺３１０ａの足内側方向辺３１０ａａは、第３中足骨５３の骨頭と第４中足骨５４の骨頭との間に対応する接地面側の頂点対応領域ＮＰＡａに頂点ＮＰａを有する「へ」の字状の形状として説明したが「へ」の字状の形状でなくても構わない。
【０１３３】
例えば、図９に示すように、小趾球対応領域８２Ａ（小趾球８２）の前側の縁付近を回り込んで、頂点対応領域ＮＰＡａ付近、第３中足骨５３の骨頭、第２中足骨５２の骨頭後端付近の各々の領域を通って母趾球対応領域８０Ａ（母趾球８０）の後側の縁付近を回り込む形状であっても構わない。
【０１３４】
さらに、図１のような中板は中底先部領域の先が円弧になっている。円弧になっている場合は先端が決まる。しかし、中板は様々な種類があり、中底先端部領域の先が中底中心線ＮＬｉに対して直角に切断された直線状の先辺になるものもある。このような先辺は、先辺の中心を先端とするのが望ましい。
【符号の説明】
【０１３５】
８０  母趾球
８２  小趾球
３００  中底
３１０  補強板
３１０ａ  補強板先辺
ＮＰａ  頂点
Ｌａｂ  踏付部横幅ライン
３１０ａｂ  足外側方向辺
【図１】
0006767158.tif 000002
【図２】
0006767158.tif 000003
【図３】
0006767158.tif 000004
【図４】
0006767158.tif 000005
【図５】
0006767158.tif 000006
【図６】
0006767158.tif 000007
【図７】
0006767158.tif 000008
【図８】
0006767158.tif 000009
【図９】
0006767158.tif 000010
【図１０】
0006767158.tif 000011
【図１１】
0006767158.tif 000012